(57)【要約】【課題】発電所等のプラント監視において、利用者の誤操作と部外者のなりすましとに対するセキュリティを確保し、利便性を高め、プラント状況に速やかに対応できるととに、メニューから容易にデータ表示することができ、グループ単位で複数のデータを同時に表示することができるモバイル監視システムを提供する。【解決手段】従来のモバイル監視システムにおいて、声紋をチェックすることによって利用者が誰であるかを特定させ、特定された利用者を重要機能利用許可者であると判定したときには、利用者からの操作要求を入出力処理部に伝達する重要機能判定部と、利用者が誰であるかを特定し、該特定者を前記重要機能判定部に伝達する声紋チェック処理部とをさらに具備する。【選択図】　　　図１
2004021949.tif 000002
【特許請求の範囲】
【請求項１】
携帯端末との通信を行う通信装置と、前記携帯端末の電話番号毎のサーバへのアクセス可否を示したアクセス許可者リストと、指定された前記携帯端末の電話番号を前記アクセス許可者リストと照合して、アクセス許可者のみを入出力処理部に通知するアクセス制御部と、プラントからのプロセスデータにより携帯端末用の表示データを作成して前記携帯端末に出力するとともにプロセスデータ保存部に保存し、かつ前記携帯端末からの操作要求によりメニューデータベースから操作要求メニューを前記携帯端末に出力するとともに前記携帯端末からのプラント操作信号をプラント側に出力する入出力制御部とを備えたモバイル監視システムにおいて、
前記携帯端末からの操作要求が重要機能か否かを判定し、重要機能であれば、声紋をチェックして携帯端末の利用者を特定させ、特定された利用者を重要機能利用許可者リストと照合して、該利用者が重要機能利用許可者であれば、前記携帯端末の利用者からの操作要求を入出力処理部に通知する重要機能判定部と、
前記重要機能判定部から携帯端末の利用者を特定する指令を受けると、前記携帯端末を介して利用者に発声を要求し、得られた声紋を予め登録された声紋データベースと照合して利用者を特定し、該特定者を前記重要機能判定部に通知する声紋チェック処理部と
を具備することを特徴とするモバイル監視システム。
【請求項２】
携帯端末との通信を行う通信装置と、前記携帯端末の電話番号毎のサーバへのアクセス可否を示したアクセス許可者リストと、指定された前記携帯端末の電話番号を前記アクセス許可者リストと照合して、アクセス許可者のみを入出力処理部に通知するアクセス制御部と、プラントからのプロセスデータにより携帯端末用の表示データを作成して前記携帯端末に出力するとともにプロセスデータ保存部に保存し、かつ前記携帯端末からの操作要求によりメニューデータベースから操作要求メニューを前記携帯端末に出力するとともに前記携帯端末からのプラント操作信号をプラント側に出力する入出力制御部とを備えたモバイル監視システムにおいて、
前記携帯端末の利用者に前記携帯端末を介して発声を要求し、声紋を予め登録された声紋データベースと照合して利用者を特定する声紋チェック処理部と、
前記アクセス許可者リストと引き換えて、前記携帯端末の利用者毎にサーバへのアクセス可否を示す声紋アクセス許可者リストと、
前記アクセス制御部と引き換えて、前記声紋チェック処理部より携帯端末の利用者特定結果を受信し、前記声紋アクセス許可者リストから、前記携帯端末の利用者が機能利用許可者であるか否かを判定し、機能利用許可者であれば、入出力処理部に操作要求を通知する声紋アクセス制御部と
を具備することを特徴とするモバイル監視システム。
【請求項３】
携帯端末との通信を行う通信装置と、前記携帯端末の電話番号毎のサーバへのアクセス可否を示したアクセス許可者リストと、指定された前記携帯端末の電話番号を前記アクセス許可者リストと照合して、アクセス許可者のみを入出力処理部に通知するアクセス制御部と、プラントからのプロセスデータにより携帯端末用の表示データを作成して前記携帯端末に出力するとともにプロセスデータ保存部に保存し、かつ前記携帯端末からの操作要求によりメニューデータベースから操作要求メニューを前記携帯端末に出力するとともに前記携帯端末からのプラント操作信号をプラント側に出力する入出力制御部とを備えたモバイル監視システムにおいて、
前記携帯端末の表示データを一時的に保存する表示データ一時保存域と、
前記携帯端末からデータ保存要求を受けて前記表示データ一時保存域に存在する表示データの保存処理を行う表示データ保存部と、
前記表示データの保存先となる表示データ記憶装置と、
前記携帯端末からデータ再表示要求を受けて前記表示データ記憶装置に保存されている表示データの表示処理を行う表示データ再表示部と
を具備することを特徴とするモバイル監視システム。
【請求項４】
前記携帯端末毎に表示データの保存先が設定されているデータ保存先設定テーブルを、さらに具備することを特徴とする請求項３記載のモバイル監視システム。
【請求項５】
携帯端末との通信を行う通信装置と、前記携帯端末の電話番号毎のサーバへのアクセス可否を示したアクセス許可者リストと、指定された前記携帯端末の電話番号を前記アクセス許可者リストと照合して、アクセス許可者のみを入出力処理部に通知するアクセス制御部と、プラントからのプロセスデータにより携帯端末用の表示データを作成して前記携帯端末に出力するとともにプロセスデータ保存部に保存し、かつ前記携帯端末からの操作要求によりメニューデータベースから操作要求メニューを前記携帯端末に出力するとともに前記携帯端末からのプラント操作信号をプラント側に出力する入出力制御部とを備えたモバイル監視システムにおいて、
表示データに対応するシンボル情報を記憶するシンボルリストと、
携帯端末に表示するデータを前記入出力処理部より受信し、その表示データに対応するシンボルを前記シンボルリストより抽出し、前記携帯端末におけるシンボルの表示位置を画面上の所定の場所に指定し、シンボルデータおよび表示位置データを前記入出力処理部に送信するシンボル判定処理部と
を具備することを特徴とするモバイル監視システム。
【請求項６】
携帯端末との通信を行う通信装置と、前記携帯端末の電話番号毎のサーバへのアクセス可否を示したアクセス許可者リストと、指定された前記携帯端末の電話番号を前記アクセス許可者リストと照合して、アクセス許可者のみを入出力処理部に通知するアクセス制御部と、プラントからのプロセスデータにより携帯端末用の表示データを作成して前記携帯端末に出力するとともにプロセスデータ保存部に保存し、かつ前記携帯端末からの操作要求によりメニューデータベースから操作要求メニューを前記携帯端末に出力するとともに前記携帯端末からのプラント操作信号をプラント側に出力する入出力制御部とを備えたモバイル監視システムにおいて、
プラント側から読み込んだプロセスデータを時刻とともに記録し、保存する履歴データ保存部と、
携帯端末で指定したポイントの履歴データを前記履歴データ保存部から抽出し、履歴データをトレンドグラフとして描画データ化し、携帯端末で表示可能なファイル形式に変換する履歴データ処理部と、
前記メニューデータベースと引き換えて、携帯端末に表示するメニュー項目にトレンドグラフ表示機能を追加したメニューデータベース（ａ）と
を具備することを特徴とするモバイル監視システム。
【請求項７】
携帯端末で警報情報を表示する場合に、前記メニューデータベース（ａ）と引き換えて、当該警報項目のトレンドグラフ表示機能を追加したメニューを含むメニューデータベース（ｂ）を具備することを特徴とする請求項６記載のモバイル監視システム。
【請求項８】
機能利用許可者を特定して個人情報抽出処理部に個人コードおよび部門コードを送信するアクセス制御部と、
個人情報データベースから利用許可者自身の個人情報を抽出する個人情報抽出処理部と、
抽出された個人情報の中に個人メニュー更新フラグが成立していれば、個人メニュー情報を抽出してメニュー表示処理部へ送信する個人メニュー抽出処理部と、
抽出された個人情報の中に個人メニュー更新フラグが成立していなければ、　抽出された個人情報の中の部門コードから部門別メニュー情報を抽出してメニュー表示処理部へ送信する部門メニュー抽出処理部と、
抽出された個人メニュー情報または部門別メニュー情報を携帯端末へ表示するメニュー表示処理部と
をさらに具備することを特徴とする請求項１乃至７記載のモバイル監視システム。
【請求項９】
部門ごとに表示するメニューアイテムが記録されている部門メニューアイテムデータベースと、
前記部門メニューアイテムデータベースから、機能利用許可者の属する部門のメニューアイテムを抽出する部門メニューアイテム抽出処理部と、
機能利用許可者ごとに表示／非表示するメニューアイテムが記憶されている個人メニュー表示項目データベースと、
前記個人メニュー表示項目データベースから、機能利用許可者のメニューアイテムを読み出す個人メニュー表示項目読み出し処理部と、
読み出されたメニューアイテムを機能利用許可者の要求によって、メニューを更新する個人メニューアイテム更新処理部と、
更新された内容を携帯端末上に表示する個人メニューアイテム一覧画面表示処理部と、
をさらに具備することを特徴とする請求項８記載のモバイル監視システム。
【請求項１０】
機能利用許可者が必要とする複数のポイントを一括してグループ化した情報を格納するグループデータベースと、
そのグループに機能利用許可者が付けた名称を一覧表示するグループ名称一覧表示処理部と、
グループ内に登録されたポイントを一覧表示し選択することによりポイントの入れ替えを可能とする登録ポイント変更画面表示処理部と、
グループ内に登録された任意のポイントを機能利用許可者の要求によって、他のポイントと入れ替えて登録する登録ポイント変更処理部と
をさらに具備することを特徴とする請求項１乃至７記載のモバイル監視システム。
【請求項１１】
前記グループ化した情報を携帯端末に一覧表示するグループ名称一覧表示処理部と、
一覧表示されたグループから、そのグループに登録されているポイントを一括表示するポイント一覧表示処理部と、
一括表示されたポイントの任意のポイントを選択することにより、選択されたポイントの詳細情報を表示するポイント一覧詳細表示処理部と
をさらに具備することを特徴とする請求項１０記載のモバイル監視システム。
【発明の詳細な説明】
【０００１】
【発明の属する技術分野】
本発明は、発電所等のプラント監視において、携帯端末を利用したモバイル監視システムに関する。
【０００２】
【従来の技術】
図２３は、従来のモバイル監視システムの構成例である。従来のモバイル監視システムは、プラント運転員（以下利用者と呼ぶ）が所要の表示・確認・操作等を行う携帯端末１、ＷＡＮまたはＬＡＮを介して携帯端末１とモバイルサーバ３とを中継する通信装置２、モバイルサーバ３からの操作信号とプロセス入出力装置５からの信号を用いて、制御装置６に操作信号を送るプロセス計算機４、およびプラント７から構成されている。
【０００３】
モバイルサーバ３は、携帯端末１の利用者がアクセス許可者であるか否かをアクセス許可者リスト３１１により判定するアクセス制御部３１と、携帯端末１の利用者から要求されたメニューデータを、メニューデータベース３２１から検索し、送信するとともに、携帯端末１の利用者から要求された機能要求に応えて、プロセスデータ保存部３２２のプロセスデータから表示データを作成し、送信する入出力処理部３２とから構成されている。
【０００４】
従来、プラント運転員（以下利用者と呼ぶ）は、各自が持つ携帯端末のメニューを選択することにより、プラント情報の表示、データ設定および機器操作等のプラント操作を行うが、携帯端末からモバイルサーバへアクセスする際には、予め登録された携帯端末の電話番号のみが、アクセスを許可されている。
【０００５】
図２４は、従来のモバイル監視システムのフローチャートである。
【０００６】
携帯端末１によって、利用者が、モバイル監視システムのメニュー表示を要求すると、メニュー表示要求が、携帯端末１から、ＩＳＤＮやＬＡＮ／ＷＡＮおよび通信装置２を介して、モバイルサーバ３のアクセス制御部３１に送信される（Ｓ１）。
【０００７】
アクセス制御部３１は、メニュー表示要求を受信すると、要求した者が機能利用のためのアクセスを許可された者であるか否かを判定するために、携帯端末１の電話番号をキーにアクセス許可者リスト３１１を検索する。アクセス許可者リスト３１１には、図２５に示すように、電話番号毎に機能利用可否を示すデータが予め保存されている。アクセス許可者リスト３１１を検索して、例えば、電話番号０９０−１１１１−１１１１を持つ携帯端末（Ａ）１１のように、機能利用が許可されている場合には、アクセス制御部３１は、入出力処理部３２に対してメニューデータを要求する（Ｓ２）。
【０００８】
入出力処理部３２は、メニューデータの要求を受けると、メニューデータベース３２１からメニューデータを抽出する。抽出されたメニューデータは、アクセス制御部３１および通信装置２を介して、携帯端末１に送信され、携帯端末１の画面に表示される（Ｓ３）。
【０００９】
携帯端末１に表示されたメニューから、利用者が、「機能」を選択すると、「機能」要求がアクセス制御部３１に送信され、アクセス制御部３１は、「機能」要求を入出力処理部３２に送信する（Ｓ４）。
【００１０】
入出力処理部３２は、要求された機能に必要なデータをプロセスデータ保存部３２２より抽出し、機能表示データを作成する（Ｓ５）。
【００１１】
作成された機能表示データは、入出力処理部３２からアクセス制御部３１および通信装置２を介して携帯端末（Ａ）１１に送信され、携帯端末（Ａ）１１の画面に表示される（Ｓ６）。
【００１２】
一方、アクセス制御部３１が、アクセス許可リスト３１１を検索して、例えば、電話番号０９０−４４４４−４４４４を持つ携帯端末（Ｂ）１２や機能利用許可されていない電話番号０９０−３３３３−３３３３を持つ携帯端末（Ｃ）のように、電話番号が許可されていない場合には、アクセス制御部３１は、「機能利用が許可されていない」ことを示すメッセージを通信装置２を介して携帯端末（Ｂ）１２や携帯端末（Ｃ）１３に送信し、処理を終える（Ｓ７）。
【００１３】
図２６は、入出力処理部３２の詳細な構成図である。
データ送受信部３２５は、携帯端末１からの表示要求を受信すると、表示データ生成部３２６に対して表示データ生成を要求し、表示データ生成部３２６において作成される表示データを携帯端末１に送信する。
【００１４】
表示データ生成部３２６は、データ読み込み部３２７を介してプロセスデータ保存部３２２に記憶されているプラントデータを入力し、プラントデータを基に携帯端末１に表示する表示データを作成する。
【００１５】
プロセスデータ保存部３２２には、プラント７のプラントデータが、プロセス入出力装置５や制御装置６からプロセス計算機４を介して定周期で伝送され、更新・保存されている。
【００１６】
【発明が解決しようとする課題】
しかしながら、前記の従来技術には以下のような問題があった。
（１）携帯端末からのアクセスに対して、電話番号によるアクセス制御を行っているため、部外者が別の携帯端末からプラント情報の閲覧やプラント操作を行う危険性は少ないが、利用者がプラント機器に対する操作要求を、携帯端末の操作を誤って出す恐れがあるという問題があった。
（２）携帯端末の電話番号によるアクセス制御だけでは、例えば、部外者が他人の携帯端末を使用し、他人になりすましてプラント情報閲覧や操作を行う危険性があるという問題があった。
（３）利用者が携帯端末から要求した時点の最新のプラントデータのみに基づいて表示データを生成し携帯端末に送信するため、携帯端末によって確認した表示データだけでは、事後に原因解析が出来ないという問題があった。従来は、プロセス計算機において保存された情報を利用者が現場で採取して、ＦＡＸ、メールなどで有識者に渡して解析していた。
（４）携帯端末の画面表示サイズが小さいため、一度に表示できるデータ量が少なく、表示内容がどのようなものであるか、重要か否か、どの系統の情報なのか、等を一目で認識することが困難であるという問題があった。
（５）プラントデータの変化傾向を把握するためには、数値表示の場合は、時間経過に伴って数値表示を記録することにより可能であるが、携帯端末の画面上で一目で変化傾向を把握することは困難であるという問題があった。
（６）警報発生時、携帯端末を用いて警報時のみのデータを確認することは可能であるが、警報発生に至るまでの変化傾向を瞬時に確認することは不可能であるという問題があった。
（７）ひとつのプラントで扱うプラントデータは非常に膨大な量であり、携帯端末上で必要なデータを検索して表示するまでに相当の時間を要するという問題があった。
（８）複数の表示データを確認したい場合は、データを検索して表示し、同様に次のデータを検索して表示することを繰り返し行うしか方法がなく、一度の作業で複数の表示データを確認することは困難であるという問題があった。
【００１７】
本発明は、上記課題を解決するためになされたものであり、携帯端末の誤操作、部外者のなりすましを回避でき、小画面に多種の情報を見易く表示でき、通常時および異常時にプラントのプロセスデータのトレンドを表示することができるとともに、メニューから容易にデータ表示することができ、グループ単位で複数のデータを同時に表示することができるようにして、セキュリティおよび利便性の高いモバイル監視システムを提供することを目的とするものである。
【００１８】
【問題を解決するための手段】
上記の目的を達成するために、請求項１記載のモバイル監視システムは、携帯端末との通信を行う通信装置と、携帯端末の電話番号毎のサーバへのアクセス可否を示したアクセス許可者リストと、指定された携帯端末の電話番号をアクセス許可者リストと照合して、アクセス許可者のみを入出力処理部に通知するアクセス制御部と、プラントからのプロセスデータにより携帯端末用の表示データを作成して携帯端末に出力するとともにプロセスデータ保存部に保存し、かつ携帯端末からの操作要求によりメニューデータベースから操作要求メニューを携帯端末に出力するとともに携帯端末からのプラント操作信号をプラント側に出力する入出力制御部とを備えたモバイル監視システムにおいて、携帯端末からの操作要求が重要機能か否かを判定し、重要機能であれば、声紋をチェックして携帯端末の利用者を特定させ、特定された利用者を重要機能利用許可者リストと照合して、該利用者が重要機能利用許可者であれば、携帯端末の利用者からの操作要求を入出力処理部に通知する重要機能判定部と、重要機能判定部から携帯端末の利用者を特定する指令を受けると、携帯端末を介して利用者に発声を要求し、得られた声紋を予め登録された声紋データベースと照合して利用者を特定し、該特定者を重要機能判定部に通知する声紋チェック処理部とを具備することを特徴とする。
【００１９】
請求項１記載のモバイル監視システムによれば、重要機能判定部および重要機能利用者リストと、声紋チェック処理部および声紋データベースとを設け、重要操作機能については、機能利用許可者からの要求のみを有効とするので、携帯端末の誤操作、部外者のなりすましを回避することができる。
【００２０】
請求項２記載のモバイル監視システムは、携帯端末との通信を行う通信装置と、携帯端末の電話番号毎のサーバへのアクセス可否を示したアクセス許可者リストと、指定された前記携帯端末の電話番号を前記アクセス許可者リストと照合して、アクセス許可者のみを入出力処理部に通知するアクセス制御部と、プラントからのプロセスデータにより携帯端末用の表示データを作成して携帯端末に出力するとともにプロセスデータ保存部に保存し、かつ携帯端末からの操作要求によりメニューデータベースから操作要求メニューを携帯端末に出力するとともに携帯端末からのプラント操作信号をプラント側に出力する入出力制御部とを備えたモバイル監視システムにおいて、携帯端末の利用者に前記携帯端末を介して発声を要求し、声紋を予め登録された声紋データベースと照合して利用者を特定する声紋チェック処理部と、アクセス許可者リストと引き換えて、携帯端末の利用者毎にサーバへのアクセス可否を示す声紋アクセス許可者リストと、アクセス制御部と引き換えて、声紋チェック処理部より携帯端末の利用者特定結果を受信し、声紋アクセス許可者リストから、携帯端末の利用者が機能利用許可者であるか否かを判定し、機能利用許可者であれば、入出力処理部に操作要求を通知する声紋アクセス制御部とを具備することを特徴とする。
【００２１】
請求項２記載のモバイル監視システムによれば、声紋チェック処理部および声紋データベースと、アクセス制御部に代わり、声紋アクセス制御部と、アクセス許可者リストに代わり、声紋アクセス許可者リストとを備えることにより、声紋チェックにより利用者を特定して、機能利用許可者からの操作要求のみ有効とするので、携帯端末の誤操作、部外者のなりすましを回避することができる。
【００２２】
請求項３記載のモバイル監視システムは、携帯端末との通信を行う通信装置と、携帯端末の電話番号毎のサーバへのアクセス可否を示したアクセス許可者リストと、指定された携帯端末の電話番号を前記アクセス許可者リストと照合して、アクセス許可者のみを入出力処理部に通知するアクセス制御部と、プラントからのプロセスデータにより携帯端末用の表示データを作成して携帯端末に出力するとともにプロセスデータ保存部に保存し、かつ携帯端末からの操作要求によりメニューデータベースから操作要求メニューを携帯端末に出力するとともに携帯端末からのプラント操作信号をプラント側に出力する入出力制御部とを備えたモバイル監視システムにおいて、携帯端末の表示データを一時的に保存する表示データ一時保存域と、携帯端末からデータ保存要求を受けて表示データ一時保存域に存在する表示データの保存処理を行う表示データ保存部と、表示データの保存先となる表示データ記憶装置と、携帯端末からデータ再表示要求を受けて表示データ記憶装置に保存されている表示データの表示処理を行う表示データ再表示部とを具備することを特徴とする。
【００２３】
請求項３記載のモバイル監視システムによれば、携帯端末に表示した表示データを保存し、要求操作により容易に再表示することが可能となる。したがって、携帯端末において確認した表示データを元に、事後に原因を解析することができる。
【００２４】
請求項４記載のモバイル監視システムは、請求項３記載のモバイル監視システムにおいて、携帯端末毎に表示データの保存先が設定されているデータ保存先設定テーブルを、さらに具備することを特徴とする。
【００２５】
請求項４記載のモバイル監視システムによれば、携帯端末毎に、つまり利用者毎に個別のディレクトリへ表示データを保存することが可能となり、再表示を容易にして重要な個別データを一目で認識することができる。
【００２６】
請求項５記載のモバイル監視システムは、携帯端末との通信を行う通信装置と、携帯端末の電話番号毎のサーバへのアクセス可否を示したアクセス許可者リストと、指定された携帯端末の電話番号をアクセス許可者リストと照合して、アクセス許可者のみを入出力処理部に通知するアクセス制御部と、プラントからのプロセスデータにより携帯端末用の表示データを作成して携帯端末に出力するとともにプロセスデータ保存部に保存し、かつ携帯端末からの操作要求によりメニューデータベースから操作要求メニューを携帯端末に出力するとともに携帯端末からのプラント操作信号をプラント側に出力する入出力制御部とを備えたモバイル監視システムにおいて、表示データに対応するシンボル情報を記憶するシンボルリストと、携帯端末に表示するデータを入出力処理部より受信し、その表示データに対応するシンボルを前記シンボルリストより抽出し、携帯端末におけるシンボルの表示位置を画面上の所定の場所に指定し、シンボルデータおよび表示位置データを入出力処理部に送信するシンボル判定処理部とを具備することを特徴とする。
【００２７】
請求項５記載のモバイル監視システムによれば、シンボルリストとシンボル判定処理部とが設けられて、携帯端末に表示されるデータの重要性や種別を一目で判別することができる。
【００２８】
請求項６記載のモバイル監視システムは、携帯端末との通信を行う通信装置と、携帯端末の電話番号毎のサーバへのアクセス可否を示したアクセス許可者リストと、指定された携帯端末の電話番号を前記アクセス許可者リストと照合して、アクセス許可者のみを入出力処理部に通知するアクセス制御部と、プラントからのプロセスデータにより携帯端末用の表示データを作成して携帯端末に出力するとともにプロセスデータ保存部に保存し、かつ携帯端末からの操作要求によりメニューデータベースから操作要求メニューを携帯端末に出力するとともに携帯端末からのプラント操作信号をプラント側に出力する入出力制御部とを備えたモバイル監視システムにおいて、プラント側から読み込んだプロセスデータを時刻とともに記録し、保存する履歴データ保存部と、携帯端末で指定したポイントの履歴データを前記履歴データ保存部から抽出し、履歴データをトレンドグラフとして描画データ化し、携帯端末で表示可能なファイル形式に変換する履歴データ処理部と、メニューデータベースと引き換えて、携帯端末に表示するメニュー項目にトレンドグラフ表示機能を追加したメニューデータベース（ａ）とを具備することを特徴とする。
【００２９】
請求項６記載のモバイル監視システムによれば、履歴データ保存部および履歴データ処理部と、トレンドグラフ表示機能を追加したメニューデータベースａとを設けることにより、携帯端末でプロセスデータの変化傾向をグラフ表示確認することが可能となり、容易に事後の原因を解析することができる。
【００３０】
請求項７記載のモバイル監視システムは、請求項６記載のモバイル監視システムにおいて、携帯端末で警報情報を表示する場合に、前記メニューデータベース（ａ）と引き換えて、当該警報項目のトレンドグラフ表示機能を追加したメニューを含むメニューデータベース（ｂ）を具備することを特徴とする。
【００３１】
請求項７記載のモバイル監視システムによれば、メニューデータベースｂを設けることにより、携帯端末で確認した警報情報の変化傾向をグラフに表示して確認することが可能となり、警報発生に至るまでの変化傾向を確認でき、容易に原因を究明することができる。
【００３２】
請求項８記載のモバイル監視システムは、請求項１乃至７記載のモバイル監視システムにおいて、機能利用許可者を特定して個人情報抽出処理部に個人コードおよび部門コードを送信するアクセス制御部と、個人情報データベースから利用許可者自身の個人情報を抽出する個人情報抽出処理部と、抽出された個人情報の中に個人メニュー更新フラグが成立していれば、個人メニュー情報を抽出してメニュー表示処理部へ送信する個人メニュー抽出処理部と、抽出された個人情報の中に個人メニュー更新フラグが成立していなければ、抽出された個人情報の中の部門コードから部門別メニュー情報を抽出してメニュー表示処理部へ送信する部門メニュー抽出処理部と、抽出された個人メニュー情報または部門別メニュー情報を携帯端末へ表示するメニュー表示処理部とをさらに具備することを特徴とする。
【００３３】
請求項８記載のモバイル監視システムによれば、機能利用許可者は、携帯端末を使用してサーバへアクセスするだけで、機能利用許可者用のメニュー画面を携帯端末に表示することが可能となる。
【００３４】
請求項９記載のモバイル監視システムは、請求項８記載のモバイル監視システムにおいて、部門ごとに表示するメニューアイテムが記録されている部門メニューアイテムデータベースと、部門メニューアイテムデータベースから、機能利用許可者の属する部門のメニューアイテムを抽出する部門メニューアイテム抽出処理部と、機能利用許可者毎に表示／非表示するメニューアイテムが記憶されている個人メニュー表示項目データベースと、個人メニュー表示項目データベースから、機能利用許可者のメニューアイテムを読み出す個人メニュー表示項目読み出し処理部と、読み出されたメニューアイテムを機能利用許可者の要求によって、メニューを更新する個人メニューアイテム更新処理部と、更新された内容を携帯端末上に表示する個人メニューアイテム一覧画面表示処理部とをさらに具備することを特徴とする。
【００３５】
請求項９記載のモバイル監視システムによれば、機能利用者ごとにメニューをカスタマイズすることが可能となり、機能利用者が必要とするメニュ−のみを携帯端末上に表示することができる。
【００３６】
請求項１０記載のモバイル監視システムは、請求項１乃至７記載のモバイル監視システムにおいて、機能利用許可者が必要とする複数のポイントを一括してグループ化した情報を格納するグループデータベースと、そのグループに機能利用許可者が付けた名称を一覧表示するグループ名称一覧表示処理部と、グループ内に登録されたポイントを一覧表示し選択することによりポイントの入れ替えを可能とする登録ポイント変更画面表示処理部と、グループ内に登録された任意のポイントを機能利用許可者の要求によって、他のポイントと入れ替えて登録する登録ポイント変更処理部とをさらに具備することを特徴とする。
【００３７】
請求項１０記載のモバイル監視システムによれば、グループ名称一覧、登録ポイント変更画面を介してグループ内のポイント情報を設定・変更する機能を提供することにより、機能利用許可者が必要とするデータをグループとしてひとまとめにすることができ、グループ名称を任意の名称にすることで他グループとの識別を容易にすることができる。
【００３８】
請求項１１記載のモバイル監視システムは、請求項１０記載のモバイル監視システムにおいて、グループ化した情報を携帯端末に一覧表示するグループ名称一覧表示処理部と、一覧表示されたグループから、そのグループに登録されているポイントを一括表示するポイント一覧表示処理部と、一括表示されたポイントの任意のポイントを選択することにより、選択されたポイントの詳細情報を表示するポイント一覧詳細表示処理部とをさらに具備することを特徴とする。
【００３９】
請求項１１記載のモバイル監視システムによれば、抽出されたグループ情報をグループ情報一覧として携帯端末上に表示させ、任意のグループを選択することにより、グル−プに登録されたポイントおよびその現在値をポイント一覧として表示する。ポイント一覧に表示されたポイントをさらに選択することにより、そのポイント情報をポイント一覧詳細表示処理部に受け渡すことで、そのポイントの上限値や制限値などの詳細情報を閲覧することができる。
【００４０】
【発明の実施の形態】
以下、本発明の実施の形態を図面を用いて説明する。
【００４１】
（第１の実施の形態、請求項１に対応）
図１は、本実施の形態におけるモバイル監視システムの構成図である。従来のモバイル監視システムの構成を示す図２３においては、携帯端末からの機能要求が、アクセス制御部３１から入出力処理部３２に直接送られていたのに対し、本図においては、その中間に重要機能判定部３３が設けられている。
【００４２】
該重要機能判定部３３は、携帯端末１からの操作要求が機器操作要求やプラントデータ変更要求等の重要機能であるか否かを判定し、重要機能であると判定した場合には、声紋チェック処理部３４に、声紋データベース３４１と比較して利用者が誰であるかを特定させる。声紋チェック処理部３４において利用者が特定された際には、重要機能利用者リスト３３１と比較して、携帯端末１の利用者が予め登録されている機能利用許可者であるか否かを判定する。利用者が機能利用許可者であると判定されたときには、該重要機能判定部３３は、その機能利用許可者からの機能要求を入出力処理部３２に送る。
【００４３】
図３は、携帯端末１の画面上のメニュー表示例を示す図である。利用者が、携帯端末１から重要機能である、例えば「２．データ挿入」機能を要求した場合には、携帯端末１からアクセス制御部３１を介して重要機能判定部３３に「２．データ挿入」の機能要求が送信される。
【００４４】
重要機能判定部３３では、この要求機能「２．データ挿入」が予め決められている重要機能であると判定されると、声紋チェック処理部３４による携帯端末の利用者判定が行われる。
【００４５】
声紋チェック処理部３４は、通信装置２を介して利用者に発声を要求し、入力される声紋により利用者が誰であるかを特定する。利用者が特定されると、重要機能判定部３３は、重要機能利用者リスト３３１において、該利用者が重要機能利用許可者であるか否かを判定する。例えば、利用者が「佐藤一郎」であれば、図２に示したように、「佐藤一郎」は重要機能利用許可者であるので、重要機能判定部３３は、入出力処理部３２に携帯端末１で選択された指令を送信する。それ以後は、入出力処理部３２が、携帯端末１からの要求に対する処理を行う。
【００４６】
本実施の形態により、重要操作に対する部外者のなりすましを回避して、セキュリティの向上を図ることができる。また、パスワード等一般的なセキュリティ確保の方法と異なる声紋を用いることにより、運転員に対して「通常とは違う操作（機能）を要求している」ことを直感的に知らせることができるので、誤操作要求を防止することができる。
【００４７】
（第２の実施の形態、請求項２に対応）
図４は、本実施の形態におけるモバイル監視システムの構成図である。
従来のアクセス制御部３１が、図２４に示すように、携帯端末１の電話番号によりアクセス制御を行っていたのに対して、図４では、声紋アクセス制御部３１ａが、声紋チェック処理部３４からの利用者特定結果を読み込み、声紋アクセス許可者リスト３１１ａと比較して、利用者が声紋アクセス許可者であれば、携帯端末からの要求を入出力処理部３２へ伝送するというアクセス制御を行う。
【００４８】
声紋チェック処理部３４は、第１の実施の形態と同様に、携帯端末利用者の声紋を解析し、声紋データベース３４１と比較して、利用者が誰であるかを特定する。
声紋アクセス許可者リスト３１１ａは、図５に示すように、利用者のサーバへのアクセス可否を示した表である。
声紋アクセス制御部３１ａは、声紋チェック処理部３４において特定された利用者情報を読み込み、声紋アクセス許可者リスト３１１ａと比較して、利用者のアクセス許可／不許可を判定する。
【００４９】
例えば、「佐藤一郎」のように、サーバへのアクセスが許可された者であれば、声紋アクセス制御部３１ａは、携帯端末１からの要求を入出力処理部３２に送信し、それ以後、入出力処理部３２は、携帯端末１からの要求に対する処理を行う。一方、利用者が、「田中三郎」のように、サーバへのアクセスを許可されていない者やリストに載っていない利用者であれば、声紋アクセス制御部３１ａは、携帯端末１に対して使用不可である旨のメッセージを送信する。
【００５０】
本実施の形態により、従来の電話番号によるアクセス制御において生じた「なりすまし」を回避できるので、セキュリティの向上を図ることができる。また、パスワード等一般的なセキュリティ確保の方法と異なる声紋を用いることにより、運転員に対して「通常とは違う操作（機能）を要求している」ことを直感的に知らせることができるので、誤操作要求を防止することができる。
【００５１】
（第３の実施の形態、請求項３に対応）
図６は、本実施の形態のモバイル監視システムの全体構成図である。また、図６中の表示データ処理部の詳細例を図７に示す。さらに、図８は、表示データ要求受信時の処理の流れを示す図である。
図８に示すように、利用者が、携帯端末１のメニューから「警報表示」画面の表示要求を選択した場合には、入出力処理部３２において、データ送受信部３２５が、携帯端末１から画面名称「警報表示」の表示要求を受信し、それを表示データ生成部３２６に渡す。この表示データ生成部３２６は、画面名称「警報表示」に対応したプラントデータをデータ読み込み部３２７より取り込み、取り込んだプラントデータを基に、「警報表示」画面の表示データとして、携帯端末に表示する描画情報や文字情報を含むファイルｈｔｍｌを作成する。作成されたファイルｈｔｍｌには、画面名称にファイル作成日付を付加した名称、例えば、「警報表示＿２００１０９０６＿００１０００．ｈｔｍｌ」が設定される。
【００５２】
表示データ生成部３２６において設定された「警報表示＿２００１０９０６＿００１０００．ｈｔｍｌ」は、データ送受信部３２５に表示データとして送信される。データ送受信部３２５は、この表示データをアクセス制御部３１を介して携帯端末１に送信する。そこで、携帯端末１は、要求した「警報表示＿２００１０９０６＿００１０００．ｈｔｍｌ」の画像を表示することができる。
【００５３】
また、上述の動作と同時に、表示データ生成部３２６は、表示データ一時保存域３６２に表示データ（「警報表示＿２００１０９０６＿００１０００．ｈｔｍｌ」）を保存する。
【００５４】
図９は、表示データの保存処理の流れを示す図である。
利用者が携帯端末１のメニューから「表示情報の保存要求」を選択した場合、データ送受信部３２５は、携帯端末１から表示データ（例えば、「グラフ表示＿２００１０９０５＿１０５０１０」）の保存要求を受信し、表示データ保存部３６３に保存要求のあった表示データ名（「グラフ表示＿２００１０９０５＿１０５０１０」）を送信する。表示データ保存部３６３は、受信した表示データ名を基に表示データ一時保存域３６２を検索し、該当する表示データ（「グラフ表示＿２００１０９０５＿１０５０１０．ｈｔｍｌ」）を取り込み、表示データ記憶装置３６１に保存する。
【００５５】
図１０は、表示データの再表示処理の流れを示す図である。
利用者が、携帯端末１のメニューから「保存情報の再表示」要求を選択した場合、データ送受信部３２５は、携帯端末１から「再表示画像一覧表示」の要求を受信し、表示データ再表示部３６４に「再表示画像一覧表示」を指示する。
【００５６】
表示データ再表示部３６４は、表示データ記憶装置３６１より「再表示画像一覧データ」を取り込み、データ送受信部３２５に「再表示画像一覧データ」を送信する。データ送受信部３２５は、携帯端末１に「再表示画像一覧データ」を送信する。これにより、携帯端末１において「再表示画像一覧」が表示される。
【００５７】
利用者は、携帯端末１に表示される「再表示画像一覧」の中から任意の画像を選択することにより、再表示を要求することができる。
【００５８】
例えば、データ送受信部３２５がアクセス制御部３１を介して携帯端末１から表示データ名、「炉心表示＿２００１０９０５＿１１００００」の再表示要求を受信した場合、データ送受信部３２５は、表示データ再表示部３６４に表示データ名（「炉心表示＿２００１０９０５＿１１００００」）を送信する。表示データ再表示部３６４は、表示データ名（「炉心表示＿２００１０９０５＿１１００００」）に基づいて、表示データ記憶装置３６１を検索し、該当する表示データ「炉心表示＿２００１０９０５＿１１００００．ｈｔｍｌ」を取り込み、その表示データをデータ送受信部３２５に送信する。データ送受信部３２５は、アクセス制御部３１を介して携帯端末１に表示データ「炉心表示＿２００１０９０５＿１１００００．ｈｔｍｌ」を送信する。そこで、携帯端末１は、再表示要求した画像を表示することができる。
【００５９】
本実施の形態により、携帯端末に表示した表示データを保存し、再表示の要求操作により、容易に再表示することができる。これにより、携帯端末において表示したデータを元に、事後に原因解析を行うことができる。
【００６０】
（第４の実施の形態、請求項４に対応）
図１１は、　本実施の形態におけるモバイル監視システムの全体構成図である。図６に示すような第３の実施の形態に較べて、データ保存先設定テーブル３６６を加えた構成になっている。
【００６１】
また、図１２は、図１１中の表示データ処理部３６の詳細図である。さらに、図１３は、本実施の形態における表示データ保存方法の処理の流れを示した図である。
図１３に示すように、利用者が、携帯端末１のメニューから「表示情報の保存要求」を選択した場合、データ送受信部３２５は、携帯端末１から、アクセス制御部３１を介して、表示データ（例えば、「炉心表示＿２００１０９０５＿１１００００」）の保存要求を受信し、表示データ保存部３６３に表示データ名（「炉心表示＿２００１０９０５＿１１００００」）と保存要求を受けた携帯端末の電話番号（０９０−１１１１−１１１１）とを送信する。表示データ保存部３６３は、表示データ名（「炉心表示＿２００１０９０５＿１１００００」）に基づいて、表示データ一時保存域３６２を検索し、該当する表示データ（「炉心表示＿２００１０９０５＿１１００００．ｈｔｍｌ」）を取り込む。表示データ保存部３６３は、電話番号（０９０−１１１１−１１１１）に基づいて、電話番号毎の保存先ディレクトリが設定されているデータ保存先設定テーブル３６６を検索し、保存先ディレクトリ名（ディレクトリＣ）を取出し、複数のディレクトリ（ディレクトリＡ、ディレクトリＢ、ディレクトリＣ）で構成された表示データ記憶装置３６１の中から、該当するディレクトリ（ディレクトリＣ）に表示データ（「炉心表示＿２００１０９０５＿１１００００．ｈｔｍｌ」）を保存する。
【００６２】
本実施の形態により、表示データを保存する表示データ保存部において、携帯端末からの表示データ保存要求を受信したときに、表示データは、表示データ記憶装置の予め決められたディレクトリへ自動的に保存されるので、携帯端末ごと、つまり利用者毎に個別のディレクトリへ表示データを保存することが可能となる。したがって、再表示を容易にして重要な個別データを一目で認識することができる。
【００６３】
（第５の実施の形態、請求項５に対応）
図１４は、本発明の第５の実施の形態に係るモバイル監視システムの構成図を示したものである。
本図では、従来、入出力処理部３２で作成されて携帯端末１に表示されていた文字情報に加えて、表示情報の種類や重要性を表したシンボルを、例えば携帯端末の画面最上部に表示するシンボル判定処理部３５とそれを支えるシンボルリスト３５１とが、追加設定されている。
【００６４】
利用者が、携帯端末１から、例えば、警報情報の表示要求をした場合、入出力処理部３２は、表示情報を作成する。
【００６５】
警報として、重要警報あるいは一般警報の２つのレベルがある場合、シンボル判定処理部３５は、警報表示内容がどちらのレベルであるか、入出力処理部３２を介してプロセスデータ保存部３２２より読み込む。
【００６６】
警報レベルは、プロセス計算機４によって判定された情報であり、モバイルサーバ３側では、プロセスデータとともに入出力処理部３２を介して、プロセスデータ保存部３２２に保存されている。
【００６７】
シンボルリスト３５１は、警報レベル等の状態に応じたシンボルが登録されたデータベースである。図１６は、シンボルリスト３５１の例を示した図である。重要警報レベルの警報が発生した場合、シンボル判定処理部３５は、シンボルリスト３５１から重要警報レベルに該当するシンボル情報を検索し、検出したシンボル情報を入出力処理部３２に送信する。入出力処理部３２は、当該シンボル情報を、予め決められた携帯端末の表示位置に表示するように設定して、携帯端末１に向けて送信する。
【００６８】
図１６は、携帯電話１において、警報レベルが重要警報であり、かつ、系統情報がタービンに関する警報「タービントリップ」であることを表示した例である。
【００６９】
本実施の形態により、携帯端末１は、シンボルデータを携帯端末１の画面の予め決められた表示位置に表示するので、表示情報をスクロールせずに情報の種別と重要度を一目で判断することができる。したがって、携帯端末の小さい画面に、表示内容の種類、系統および重要度等を一目で認識することができる。
【００７０】
（第６の実施の形態、請求項６に対応）
図１７は、本発明の第６の実施の形態にかかるモバイル監視システムの構成図を示したものである。
本図は、図２４における従来の構成に、従来のメニューデータベース３２１に代わって、メニュー項目にトレンドグラフ表示要求を追加したメニューデータベース（ａ）３２１ａを設け、プラントからのプロセスデータを入出力処理部３２を介して読み込み、収集時刻と合わせて保存する履歴データ保存部３２９と、指定されたポイントの履歴データを履歴データ保存部３２９から抽出して当該ポイントのトレンドグラフを作成し、携帯端末で表示可能なファイル形式に変換し、携帯端末１に送信する履歴データ処理部３２８とを追加したものである。
【００７１】
プラントのプロセス情報は、プロセス入出力装置５からプロセス計算機４を介して、入出力処理部３２で読み込み、最新の値がプロセスデータ保存部３２２に保存されている。通常、携帯端末１から要求されるプロセスデータを表示する際は、プロセスデータ保存部３２２に保存されている値が利用されている。
【００７２】
一方、新たに設けた履歴データ保存部３２９は、プロセスデータを収集時刻とともに保存している。図１８は、この履歴データ保存部３２９におけるプロセスデータの保存例を示した図である。
【００７３】
利用者が、携帯端末１を操作すると、携帯端末１で利用可能な機能一覧が、メニューデータベース（ａ）３２１ａから通信装置２を介して、携帯端末１に表示される。図１９は、携帯端末１でのメニュー表示例をに示した図である。
【００７４】
利用者が、携帯端末１に表示される機能一覧の中から、「３．トレンド表示」を選択し、表示したいプロセスデータの入力点番号「１Ａ００１」を携帯端末１から入力すると、その要求は、携帯端末１から通信装置２を介して、履歴データ処理部３２８に送信される。
【００７５】
履歴データ処理部３２８では、まず、指定されたプロセスデータ「１Ａ００１」の履歴情報を履歴データ保存部３２９から読み込む。次に読み込んだ「１Ａ００１」の時刻およびプロセスデータ値、上・下限値に基づいて、トレンドグラフを作成する。続いて、作成したトレンドグラフデータを、携帯端末１で表示可能な描画ファイル形式に変換し、携帯端末１に送信する。
【００７６】
携帯端末１では、受信した描画ファイルを表示する。図２０は、携帯端末１の画面上に描画されたトレンドグラフの表示例を示した図である。
【００７７】
携帯端末は機種が多く、同じキャリアでも機種によって表示可能な描画ファイルの形式が異なるが、履歴データ処理部３２８では携帯端末に適合したファイル形式に変換処理を行うことにより、機種に左右されることなく、描画データを作成することができる。
【００７８】
本実施の形態によれば、携帯端末１にプロセスデータのトレンドグラフを表示することができる。これにより、数値表示だけでは困難であったプロセスデータの変化傾向を一目で確認でき、原因究明を速やかに行うことができる。
【００７９】
（第７の実施の形態、請求項７に対応）
図２１は、本発明の第７の実施の形態に係るモバイル監視システムの構成図を示したものである。
本図は、第６の実施の形態におけるメニューデータベース（ａ）３２１ａの代わりに、警報情報表示の項目中に、「トレンドグラフ表示」要求を追加したメニューデータベース（ｂ）３２１ｂを設けたものである。
【００８０】
第６の実施の形態では、機能一覧から選択することにより、トレンドグラフ表示を要求することを可能としたが、本実施の形態では、警報表示からトレンドグラフ表示を要求することを可能としたものである。
【００８１】
図２２は、利用者が携帯端末１を操作し、警報情報を表示した例である。本実施の形態では、メニューデータベース（ｂ）３２１ｂに「３．トレンド表示」を追加している。
本図を携帯端末１に表示中に「３．トレンド表示」を選択すると、携帯端末１から通信装置２を介して履歴データ処理部３２８に表示要求が送信される。その際、第６の実施の形態では、利用者が携帯端末１から入力点番号を指定する必要があったが、本実施の形態では、携帯端末に既に入力点番号が表示されているため、入力点番号を指定する操作は不要である。
【００８２】
本実施の形態により、携帯端末１において、警報表示時に、トレンド表示要求が可能となり、警報表示しているプロセスデータの警報発生に至る変化傾向を認識することができる。また、警報状態となっている入力点番号を入力する必要がないため、誤入力を回避することができる。さらに、警報表示画面から１操作でトレンドグラフを表示できるので、素早いマンマシン操作により対応することができる。
【００８３】
（第８の実施の形態：請求項８に対応）
図２３は、本発明の第８の実施の形態に係るモバイル監視システムの構成図を示したものである。
図２３に示すように、携帯端末からの機能要求が、通信装置２を介してアクセス制御部３１’に送られ、第１乃至第７の実施の形態における手段により機能利用許可者が特定されると、機能利用許可者の個人コード及び部門コードが、個人情報抽出処理部８１に送られる。
【００８４】
個人情報抽出処理部８１は、受け渡された個人コードをキーにして、個人情報データベース８１１を検索し、個人情報を抽出する。
【００８５】
個人情報データベース８１１の構成は、図２４に示す通りである。例えば、機能利用許可者の個人コードが「８７００２」の場合、部門コード「１００２」、個人名称「鈴木二郎」、個人電話番号「０９０−１１１１−０００２」、個人メニュー更新フラグ「ＯＦＦ」など個人コードに該当する１レコードを抽出し、結果を個人メニュー抽出処理部８２に送る。
【００８６】
個人メニュー抽出処理部８２は、受け渡された個人情報に含まれる個人メニュー更新フラグを参照する。個人メニュー更新フラグが成立「ＯＮ」の場合には、個人によってカスタマイズされたメニュー画面を優先的に表示するために、個人メニューファイル名称をメニュー表示処理部８４に送る。
【００８７】
図２５（ａ）は、個人メニューファイル名称の設定例を示したものである。個人メニューファイル名称は、個人メニューを識別する文字列「ＫｏｊｉｎＭｅｎｕ」と個人コード「８７００１」と携帯端末に表示可能な拡張子「．ｈｔｍｌ」から構成されている。
【００８８】
個人メニュー更新フラグが、不成立「ＯＦＦ」の場合には、部門共通メニューを表示させるために、部門コードを部門メニュー抽出処理部８３に送る。例えば、個人コードが「８７００２」の鈴木二郎の場合、個人メニュー更新フラグは「ＯＦＦ」であるため、部門コード「１００２」を部門メニュー抽出処理部８３に送る。
【００８９】
部門メニュー抽出処理部８３は、受け渡された部門コードをキーにして、部門情報データベース８３１を検索し、該当する部門メニューファイル名称をメニュー表示処理部８４に送る。
【００９０】
図２５（ｂ）は、部門情報データベース８３１の構成を示したものである。例えば、部門コードが「１００２」の場合、同一レコードに存在する部門メニューファイル名称「ＢｕｍｏｎＭｅｎｕ１００２．ｈｔｍｌ」をメニュー表示処理部８４に送る。
【００９１】
部門メニューファイル名称は、部門メニューを識別する文字列「ＢｕｍｏｎＭｅｎｕ」と部門コード「１００１」と携帯端末に表示可能な拡張子「．ｈｔｍｌ」から構成される。
【００９２】
メニュー表示処理部８４は、個人メニュー抽出処理部８２あるいは部門メニュー抽出処理部８３より受け渡されたメニューファイル名称を元に、個人メニューファイル８４１あるいは部門メニューファイル８４２から、メニューファイルを読み取り、メニュー画面を通信装置２を介して携帯端末に出力する。
【００９３】
図２６は、メニュー画面の表示例である。部門メニューは、利用者の所属する部門に共通のメニュー画面であり、個人メニューは、数あるメニュー項目のうち利用者の必要な項目のみにカスタマイズされたメニュー画面である。
【００９４】
このように、第８の実施の形態によれば、第１乃至７の実施の形態の構成に、上述の４種類の処理部をさらに加えることにより、機能利用許可者は、携帯端末を使用してサーバにアクセスするだけで、機能利用許可者用のメニュー画面を携帯端末に表示することができる。
【００９５】
（第９の実施の形態：請求項９に対応）
図２７は、本発明の第９の実施の形態に係るモバイル監視システムの構成を示すものである。
同図に示すように、携帯端末からの機能要求が、通信装置２を介してアクセス制御部３１’に送られ、請求項１乃至第７の実施の形態における手段によって、機能利用許可者が特定されると、機能利用許可者の個人コード及び部門コードが、部門メニューアイテム抽出処理部８５に送られる。
【００９６】
部門メニューアイテム抽出処理部８５は、受け渡された部門コードをキーにして、部門メニューアイテムデータベース８５１を検索し、機能利用許可者の部門の監視対象となっているメニュー項目（データベース上でＯＮの項目）を抽出する。
【００９７】
図２８は、部門メニューアイテムデータベース８５１の構成を示したものであり、例えば、部門コードが「１００３」の場合、データベース上で「ＯＮ」となっているメニュー項目である「タービン」「ボイラ」「海水」「制御装置」「屋外」を抽出する。
【００９８】
さらに、個人によるメニュー項目のカスタマイズ情報を得るために、個人コードを個人メニュー表示項目読み出し処理部８６に送る。
【００９９】
個人メニュー表示項目読み出し処理部８６は、受け渡された個人コードをキーにして、個人メニュー表示項目データベース８６１を検索し、部門メニューアイテム抽出処理部８５において抽出したメニュー項目に対するカスタマイズ情報を読み出す。メニュー画面に表示する項目は「ＯＮ」、非表示にする項目は「ＯＦＦ」となっている。
【０１００】
個人メニュー表示項目データベース８６１の構成は、図２８に示す通りである。
【０１０１】
例えば、個人コードが「８７００２」の場合は、「タービン」が「ＯＦＦ」、「ボイラ」が「ＯＮ」などのカスタマイズ情報を読み出す。
【０１０２】
このように、前記２つのデータベースにより抽出したメニュー項目およびカスタマイズ情報を個人メニューアイテム一覧画面表示処理部８７に送る。
【０１０３】
個人メニューアイテム一覧画面表示処理部８７は、受け渡されたメニュー項目およびカスタマイズ情報を組み合わせ、携帯端末から容易にメニュー項目のカスタマイズが行えるようにした個人メニューアイテム一覧画面を、通信装置２を介して携帯端末に表示する。
【０１０４】
図２９は、個人メニューアイテム一覧画面の表示例である。例えば、部門コードが「１００３」、個人コードが「８７００２」の場合、前述の例の結果を参考にする。
【０１０５】
まず、メニュー項目として抽出される「タービン」、「ボイラ」、「海水」、「制御装置」、「屋外」を携帯端末に一覧表示する。
【０１０６】
次に、カスタマイズ情報として抽出される「ＯＦＦ」、「ＯＮ」、「ＯＮ」、「ＯＦＦ」、「ＯＦＦ」をもとに、「ＯＦＦ」はチェックなし表示、「ＯＮ」はチェックあり表示として、項目順にメニュー項目の左側にチェック指標を表示する。
【０１０７】
さらに、メニューの表示時にカスタマイズした個人メニューを表示するか部門共通の部門メニューを表示するかを選択できる項目を択一選択形式で表示する。
【０１０８】
図２９のような個人メニューアイテム一覧画面が表示された携帯端末から、任意の項目を変更し、更新が選択された場合には、更新情報が通信装置２およびアクセス制御部３１’を介して個人メニューアイテム更新処理部８８に送られる。
【０１０９】
個人メニューアイテム更新処理部８８は、まず、送られてきたメニュー項目の更新情報を個人コードをキーにして、個人メニューアイテムデータベース８６１に更新する。例えば、図２９において「タービン」がチェックされている場合には、個人メニューアイテムデータベース８６１の「タービン」の項目を「ＯＮ」にする。
【０１１０】
次に、メニュー表示を個人メニューにするか部門メニューにするかの情報を個人情報データベース８１１に更新する。例えば、図２９において個人メニューが選択されている場合には、個人情報データベース８１１の個人メニュー更新フラグを「ＯＮ」にする。部門メニューが選択されている場合は、同個所を「ＯＦＦ」にする。
【０１１１】
最後に、個人メニューの更新結果から、利用者専用の個人メニューファイルを作成し、個人メニューファイル８４１に格納する。格納した結果を、個人メニューアイテム一覧画面表示処理部８７へ通知し、通信装置２を介して携帯端末上に更新結果を表示する。
【０１１２】
このように、第９の実施の形態によれば、第１乃至７の実施の形態の構成に、上述の４種類の処理部をさらに加えることにより、機能利用者毎にメニューをカスタマイズすることが可能となり、機能利用者が必要とするメニューアイテムのみを携帯端末上に表示することができる。
【０１１３】
（第１０の実施の形態：請求項１０に対応）
図３０は、本発明の第１０の実施の形態に係るモバイル監視システムの構成図を示したものである。
図３０に示すように、携帯端末からの機能要求が、通信装置２を介してアクセス制御部３１’に送られ、第１乃至第７の実施の形態における手段により機能利用許可者が特定され、機能利用許可者の個人コードがグループ名称一覧表示処理部８９に送られる。
【０１１４】
グループ名称一覧表示処理部８９は、受け渡された個人コードを使用してグループデータベースのファイル名称を決定した上で、ファイル名称に一致するグループデータベース８９１を検索し、データベースに含まれるグループ名称を全て抽出する。抽出したグループ名称は、通信装置２を介して、携帯端末にグループ名称一覧画面として表示される。
【０１１５】
図３１は、グループデータベースのファイル名称設定例を示したものである。
【０１１６】
グループデータベース８９１は、利用者ごとに用意され、ファイル名称に個人コードを付加することにより、システムにおいて固有の名称とする。例えば、個人コードが「９６６０１」である場合、グループデータベースを示す文字列「ＧｒｏｕｐＤａｔａ」と個人コード「９６６０１」とデータファイルであることを示す拡張子「．ｄａｔ」から「ＧｒｏｕｐＤａｔａ９６６０１．ｄａｔ」というファイル名称を導き出す。
【０１１７】
図３２は、グループデータベースの構成を示すものである。また、図３３は、グループ名称一覧画面の表示例を示すものである。本例は、グループデータベース８９１に含まれるグループ名称「ボイラ起動時監視用」「タービン起動時監視用」などを画面に一覧表示し、グループ名称を択一選択できるようにしたものである。
【０１１８】
図３３のようなグループ名称一覧画面において、任意のグループが選ばれ、変更が選択されることにより、通信装置２およびアクセス制御部を介して、変更要求が登録ポイント変更画面表示処理部９０に送信される。
【０１１９】
登録ポイント変更画面表示処理部９０は、グループ名称一覧画面において選択されたグループのグループＩＤをキーにして、グループデータベース８９１を検索し、登録されているグループ名称、ポイントＩＤを抽出し、通信装置２を介して、図３３のような登録ポイント変更画面を携帯端末に表示する。
【０１２０】
例えばグループＩＤが「０２」の場合は、グループデータベース８９１を検索することによって、グループ名称「タービン起動時監視」、ポイントＩＤ「３Ｂ００５」「２Ｃ０５４」「２Ａ００２」「２Ｃ００２」「１Ｂ００４」が抽出される。抽出されたグループ名称をグループ名称入力エリアに設定し、ポイントＩＤを一覧表示したものが、図３３に示す登録ポイント変更画面である。
【０１２１】
図３３のような登録ポイント変更画面において、携帯端末の利用者が、グループ名称の書き換えあるいはポイント変更用画面などを使用して、ポイントＩＤの入れ換えを行った後更新を選択すると、選択されたグループＩＤおよび画面上の情報が、通信装置２およびアクセス制御部３１’を介して、登録ポイント変更処理部９１に送信される。
【０１２２】
登録ポイント変更処理部９１は、グループＩＤをキーにして、変更されたグループ名称あるいは、ポイントＩＤをグループデータベース８９１の該当レコードに上書きすることにより、該当グループへのポイントの追加あるいは変更を行う。
【０１２３】
このように、第１０の実施の形態によれば、グループ名称一覧、登録ポイント変更画面を介してグループ内のポイント情報を設定・変更する機能を提供することによって、機能利用許可者が必要とするデータをグループとしてひとまとめにすることができ、グループ名称を任意の名称にすることで他グループとの識別を容易にすることができる。
【０１２４】
（第１１の実施の形態：請求項１１に対応）
図３４は、本発明の第１１の実施の形態に係るモバイル監視システムの構成図を示したものである。
図３４に示すように、第１０の実施の形態と同様に、アクセス制御部、グループ一覧表示処理部８９の処理が実施され、図３５のようなグループ名称一覧画面が、携帯端末に表示される。
【０１２５】
携帯端末の利用者は、図３５のグループ名称一覧画面において任意のグループを選び、表示を選択することにより、通信装置２およびアクセス制御部３１’を介して、表示要求をポイント一覧表示処理部９２に送信する。
【０１２６】
ポイント一覧表示処理部９２は、グループ名称一覧画面において選択されたグループのグループＩＤをキーにして、グループデータベース８９１を検索し、登録されているポイントＩＤを抽出する。また、そのポイントＩＤをキーにして、ポイントデータベース９３１を検索し、現在値、単位を抽出する。さらに、抽出した結果を、通信装置２を介して、図３５に示すようなポイント一覧画面として携帯端末に表示する。
【０１２７】
図３６は、ポイントデータベース９３１の構成を示したものである。例えば、選択したグループＩＤが「０２」の場合、まず、グループＩＤをキーにして、グループデータベース８９１を検索し、登録されているポイントＩＤ「３Ｂ００５」が抽出される。さらに、抽出されたポイントＩＤ「３Ｂ００５」をキーにして、ポイントデータベース９３１を検索し、現在値「２３１．６」、単位「Ｔ／Ｈ」を抽出する。
【０１２８】
図３５は、こうして抽出された結果を表示したものである。
携帯端末に表示されたポイント一覧画面のポイントＩＤ、例えば「３Ｂ００５」が選択されると、選択要求が、通信装置２およびアクセス制御部３１’を介して、ポイント一覧詳細表示処理部９３に送信される。
【０１２９】
ポイント一覧詳細表示処理部９３は、選択されたポイントＩＤ「３Ｂ００５」をキーにして、ポイントデータベース９３１を検索し、該当ポイントの名称「タービン出口蒸気流量」、単位「Ｔ／Ｈ」、上限値「２００」、下限値「０」などの詳細情報を通信装置２を介して送信し、図３５に示すようなポイント詳細画面として携帯端末に表示する。
【０１３０】
このように、第１１の実施の形態によれば、携帯端末からの要求により、グループに登録されたポイントの上限値や制限値などの詳細情報を閲覧することができる。
【０１３１】
【発明の効果】
以上、本発明によれば、携帯端末の利用者による誤操作や部外者によるなりすましを回避し、通常時ならびに異常発生時にプロセスデータのトレンドグラフを携帯端末に表示して解析をスムーズに行い速やかに対応することができ、表示項目のシンボル化により表示内容を一目で認識することができるとともに、メニューから容易にデータ表示することができ、グループ単位で複数のデータを同時に表示することができる。したがって、セキュリティと利便性を高くして、速やかにプラント状況の解析と対応を行うことができる。
【図面の簡単な説明】
【図１】第１の実施の形態におけるモバイル監視システムの構成図
【図２】第１の実施の形態における重要機能利用者リストの構成図
【図３】第１の実施の形態における携帯端末で表示されるメニューの構成図
【図４】第２の実施の形態におけるモバイル監視システムの構成図
【図５】第２の実施の形態における声紋アクセス許可者リスト（ａ）の構成図
【図６】第３の実施の形態におけるモバイル監視システムの構成図
【図７】第３の実施の形態における表示データ処理部の構成図
【図８】第３の実施の形態における表示データ要求受信時のフローチャート
【図９】第３の実施の形態における表示データ保存処理のフローチャート
【図１０】第３の実施の形態における表示データ再表示処理のフローチャート
【図１１】第４の実施の形態におけるモバイル監視システムの構成図
【図１２】第４の実施の形態における表示データ処理部の構成図
【図１３】第４の実施の形態におけるデータ保存方法を説明する図
【図１４】第５の実施の形態におけるモバイル監視システムの構成図
【図１５】第５の実施の形態におけるシンボルリスト３５１の構成図
【図１６】第５の実施の形態において携帯端末に表示される画面
【図１７】第６の実施の形態におけるモバイル監視システムの構成図
【図１８】第６の実施の形態における履歴データ保存部で保存されたプロセスデータを示す図
【図１９】第６の実施の形態における携帯端末１でのメニュー表示例を示す図
【図２０】第６の実施の形態における携帯端末１でのトレンドグラフ表示例を示す図
【図２１】第７の実施の形態におけるモバイル監視システムの構成図
【図２２】第７の実施の形態における携帯端末１での警報情報表示例を示す図
【図２３】第８の実施の形態におけるモバイル監視システムの構成図
【図２４】第８の実施の形態におけるデータベースの構成図
【図２５】第８の実施の形態におけるメニューファイル名称設定例を示す図
【図２６】第８の実施の形態における携帯端末でのメニュー画面表示例を示す図
【図２７】第９の実施の形態におけるモバイル監視システムの構成図
【図２８】第９の実施の形態におけるデータベースの構成図
【図２９】第９の実施の形態における携帯端末でのメニューアイテム一覧画面表示例を示す図
【図３０】第１０の実施の形態におけるモバイル監視システムの構成図
【図３１】第１０の実施の形態におけるファイル名称設定例を示す図
【図３２】第１０の実施の形態におけるデータベースの構成図
【図３３】第１０の実施の形態における携帯端末での登録ポイント変更画面表示例を示す図
【図３４】第１１の実施の形態におけるモバイル監視システムの構成図
【図３５】第１１の実施の形態における携帯端末でのポイント一覧、ポイント詳細画面表示例を示す図
【図３６】第１１の実施の形態におけるデータベースの構成図
【図３７】従来のモバイル監視システムの構成図
【図３８】従来のモバイル監視システムの処理フロー例を示すフローチャート
【図３９】従来のアクセス許可者リストの構成図
【図４０】従来の入出力処理部の構成図
【符号の説明】
１…携帯端末、１１…携帯端末（Ａ）、１２…携帯端末（Ｂ）、１３…携帯端末（Ｃ）、２…通信装置、３…モバイルサーバ、３１…アクセス制御部、３１ａ…声紋アクセス制御部、３１１…アクセス許可者リスト、３１１ａ…声紋アクセス許可者リスト、３２…入出力処理部、３２１…メニューデータベース、３２１ａ…メニューデータベースａ、３２１ｂ…メニューデータベースｂ、３２２…プロセスデータ保存部、３２５…データ送受信部、３２６…表示データ生成部、３２７…データ読み込み部、３２８…履歴データ処理部、３２９…履歴データ保存部、３３…重要機能判定部、３３１…重要機能利用者リスト、３４…声紋チェック処理部、３４１…声紋データベース、３５…シンボル判定処理部、３５１…シンボルリスト、３６…表示データ処理部、３６１…表示データ記憶装置、３６２…表示データ一時保存域、３６３…表示データ保存部、３６４…表示データ再表示部、３６５…データ保存先設定テーブル、４…プロセス計算機、５…プロセス入出力装置、６…製御装置、７…プラント、８１…個人情報抽出処理部、８１１…個人情報データベース、８２…個人メニュー抽出処理部、８３部門メニュー抽出処理部、８３１…部門情報データベース、８４…メニュー表示処理部、８４１…個人情報ファイル、８４２…部門情報ファイル、８５…部門メニューアイテム抽出処理部、８６…個人メニューアイテム抽出処理部、８７…個人メニューアイテム更新画面表示処理部、８８…個人メニューアイテム更新処理部、８９…グループ一覧表示処理部、８９１…グループデータベース、９０…登録ポイント変更画面表示処理部、９１…登録ポイント変更処理部、９２…ポイント一覧表示処理部、９３…ポイント一覧詳細表示処理部、９３１…ポイントデータベース
【図１】
2004021949.tif 000003
【図２】
2004021949.tif 000004
【図３】
2004021949.tif 000005
【図４】
2004021949.tif 000006
【図５】
2004021949.tif 000007
【図６】
2004021949.tif 000008
【図７】
2004021949.tif 000009
【図８】
2004021949.tif 000010
【図９】
2004021949.tif 000011
【図１０】
2004021949.tif 000012
【図１１】
2004021949.tif 000013
【図１２】
2004021949.tif 000014
【図１３】
2004021949.tif 000015
【図１４】
2004021949.tif 000016
【図１５】
2004021949.tif 000017
【図１６】
2004021949.tif 000018
【図１７】
2004021949.tif 000019
【図１８】
2004021949.tif 000020
【図１９】
2004021949.tif 000021
【図２０】
2004021949.tif 000022
【図２１】
2004021949.tif 000023
【図２２】
2004021949.tif 000024
【図２３】
2004021949.tif 000025
【図２４】
2004021949.tif 000026
【図２５】
2004021949.tif 000027
【図２６】
2004021949.tif 000028
【図２７】
2004021949.tif 000029
【図２８】
2004021949.tif 000030
【図２９】
2004021949.tif 000031
【図３０】
2004021949.tif 000032
【図３１】
2004021949.tif 000033
【図３２】
2004021949.tif 000034
【図３３】
2004021949.tif 000035
【図３４】
2004021949.tif 000036
【図３５】
2004021949.tif 000037
【図３６】
2004021949.tif 000038
【図３７】
2004021949.tif 000039
【図３８】
2004021949.tif 000040
【図３９】
2004021949.tif 000041
【図４０】
2004021949.tif 000042